(57)【要約】      （修正有）【課題】複雑な制御が不要で、既存の空気ばね付き自然振子式鉄道車両からも簡単に改良できる複合的な車体傾斜機構を持つ鉄道車両を提供する。【解決手段】  振子台車２と上方の車体６との間に振子梁３を設け、曲線軌道走行時に振子中心ｏを回転中心として車体６の重心に作用する遠心力を利用して車体６と振子梁３を振子回転中心を中心とした車体６の左右方向における自然振子運動を実現する自然振子機構と、振子梁３上の左右で車体６との間に空気ばね７Ｒ・７Ｌを介設し車体を左右に強制的に傾斜させる空気ばね式強制傾斜車体傾斜機構８とを備え、この車体傾斜機構８は、入口緩和曲線進入直前に車体６を内軌側へ傾斜させたのちに元の姿勢に戻す一方、出口緩和曲線進入直前には車体６を外軌側へ傾斜させたのちに元の姿勢に戻すことにより、振子梁３の振れを支援する。【選択図】図１
2008143335.tif 000002
【特許請求の範囲】
【請求項１】
台車と、この台車の上方に配置された車体と、両者の間に振子梁が設けられ、曲線軌道走行時に前記車体の重心に作用する遠心力を利用して、振子回転中心を中心とした前記車体の自然振子運動を実現する自然振子機構と、前記振子梁と車体の間に左右に配置された空気ばねによる空気ばね式強制車体傾斜機構とを備え、前記自然振子機構および前記空気ばね式強制車体傾斜機構による複合的な車体傾斜機能を有する鉄道車両において、
前記空気ばね式強制車体傾斜機構は、入口緩和曲線進入の直前に前記車体を内軌側へ傾斜させた後すぐに元の姿勢に戻す一方、出口緩和曲線の直前に前記車体を外軌側へ傾斜させた後すぐに元の姿勢に戻すことにより、前記自然振子機構の振れを支援する構成からなることを
特徴とする鉄道車両。
【請求項２】
前記台車と前記振子梁との間にパッシブダンパを介設することを
特徴とする請求項１記載の鉄道車両。
【請求項３】
前記空気ばね式強制車体傾斜機構は前記空気ばねの空気量を制御する空気ばね制御装置を備え、この空気ばね制御装置は車両の地点検知装置と接続され、
前記地点検知装置は、地上信号情報またはＧＰＳ情報等の位置情報と前記地点検知装置の持つ路線データ（曲線の位置データとその曲線の曲率、カント等）および車両の走行距離を比較することにより、少なくとも前記空気ばね式強制車体傾斜の作動のトリガーとなる入口緩和曲線と出口緩和曲線とに進入する直前に少なくとも曲線軌道の曲がり方向を前記空気ばね制御装置に出力するものであること
を特徴とする請求項１または２記載の鉄道車両。
【請求項４】
前記空気ばね式強制車体傾斜機構は、前記地点検知装置により検知される入口緩和曲線進入直前で、前記空気ばね制御装置により外軌側空気ばねに空気を供給し外軌側空気ばねを上昇させて前記車体を前記振子梁に対し内軌側へ傾斜させ、入口緩和曲線走行時に前記空気ばね制御装置により外軌側空気ばね内の空気を排出し外軌側空気ばねの下降を行い、前記外軌側空気ばねの高さを元の中立位置に戻し、出口緩和曲線進入直前で、前記空気ばね制御装置により内軌側空気ばねに空気を供給し内軌側空気ばねを上昇させて前記車体を前記振子梁に対し外軌側へ傾斜させ、出口緩和曲線走行時に前記空気ばね制御装置により内軌側空気ばね内の空気を排出し、前記内軌側空気ばねの高さを元の中立位置に戻すことを特徴とする請求項３に記載の鉄道車両。
【請求項５】
前記空気ばね式強制車体傾斜機構は、前記地点検知装置により検知される入口緩和曲線進入直前で、前記空気ばね制御装置により外軌側空気ばねに空気を供給し外軌側空気ばねを上昇させるとともに内軌側の空気ばね内の空気を排出して前記車体を前記振子梁に対し内軌側へ傾斜させ、入口緩和曲線走行時に前記空気ばね制御装置により外軌側空気ばね内の空気を排出し外軌側空気ばねの下降を行うとともに内軌側の空気ばねに給気して、前記各空気ばねの高さを元の中立位置に戻し、出口緩和曲線進入直前で、前記空気ばね制御装置により内軌側空気ばねに空気を供給し内軌側空気ばねを上昇させるとともに外軌側空気ばね内の空気を排出して前記車体を前記振子梁に対し外軌側へ傾斜させ、出口緩和曲線走行時に前記空気ばね制御装置により内軌側空気ばね内の空気を排出するとともに外軌側空気ばね内の空気を給気し、前記各空気ばねの高さを元の中立位置に戻すことを特徴とする請求項３に記載の鉄道車両。
【発明の詳細な説明】
【技術分野】
【０００１】
この発明は、台車と、この台車の上方に配置された車体と、両者の間に振子梁が設けられ、曲線軌道走行時に前記車体の重心に作用する遠心力を利用して、振子回転中心を中心として前記車体の左右方向における自然振子運動を実現する自然振子機構と、前記振子梁と車体の間に左右に配置された空気ばねによる空気ばね式強制車体傾斜手段とを備え、前記自然振子機構および前記強制傾斜手段による複合的な車体傾斜機能を有する鉄道車両に関するものである。
【背景技術】
【０００２】
車両が曲線区間を走行する際に、曲線の半径方向外方へ遠心力が作用し、乗り心地を悪くしたり、外軌側線路の輪重が増加したり、横圧力が増加したりするなどの不都合が生じる。そこで、遠心力を打ち消すために、一般に曲線区間では内外軌道に高低差（カント）が設けられている。しかし、カントだけで遠心力を完全に打ち消すようにすると、車両の傾斜が大きくなり、車両が曲線上に停車した場合に乗客があまりに不快感を感じたり、また内軌側方向への強い横風を車両が受けた場合に車両が内軌側へ転覆するおそれがある。このため、通常、曲線区間におけるカント量は不足気味に設定されている。
【０００３】
こうした曲線区間におけるカント量の不足を補うために、車両が曲線区間を走行するときに車体を内軌側に傾斜させる車体傾斜式鉄道車両が開発され実用化されている。
【０００４】
この種の鉄道車両には、振子回転中心を中心として、台車の上にコロ、ベアリングローラまたリンク式等で、振子梁を遥動可能に支持し、曲線走行時に車体に作用する重力と遠心力の釣り合いの関係により車体が内軌側へ傾斜し、乗客に作用する車幅方向の遠心加速度を最小限に抑え、乗り心地を向上させる自然振子式鉄道車両がある。
【０００５】
その他に、自然振子の振り遅れ、特に振子梁を揺動可能に支持するコロ等の回転抵抗と車体の慣性力により、曲線軌道進入後に遠心力を受けてから急に揺動を開始する振り遅れが乗り心地を悪くするのを改善するために、振子梁と台車との間にアクチュエータ（空気シリンダ）を介設し、曲線区間への緩和曲線入口走行時にアクチュエータによって振子梁を強制的に内軌側へ傾斜させ、曲線区間から緩和曲線出口走行時にアクチュエータによって振子梁を強制的に外軌側へ傾斜させることにして、振子の振り遅れを防止するようにしたアクチュエータ付き振子台車がある（例えば、特許文献１参照）。
【０００６】
この種の振子式鉄道車両に関する他の先行技術として「台車上に車体を左右に傾斜可能に支持し、走行速度を検知して記憶している曲線情報に基づいて車体を傾斜すべき量を演算し、台車と車体間に設けたシリンダを作動させて車体を傾斜させるようにした車体傾斜制御装置において、該シリンダの伸縮量を検知する変位センサを設けて実際の車体傾斜角度を演算し、車体傾斜の起動時において、車体の慣性力などの影響を受けなくなる所定角度になるまでは実際の車体傾斜角度に従って車体を傾斜させる制御信号を送出し、車体傾斜の停止時は、実際の車体傾斜角度が所定の値になった後に車体傾斜を停止させる制御信号を送出するようにした」油圧式アクチュエータによる振子式鉄道車両の車体傾斜制御装置が提案されている（例えば、特許文献２参照）。
【０００７】
その他の先行技術に「台車とこの上方に配置された車体とを有する鉄道車両において、曲線軌道走行時に車体の重心に作用する遠心力を利用して、所定の振子回転中心を中心とした車体の左右における自然振子運動を実現させる自然振子機構（ローラおよび振子梁）と、車体を左右に強制的に傾斜させる空気ばねを用いた強制傾斜手段とを備え、自然振子機構および強制傾斜手段による複合的な車体傾斜機能により、曲線軌道走行時に車体に発生する左右方向の加速度を打ち消して曲線走行速度を増大させる」複合的な車体傾斜鉄道車両が提案されている（例えば、特許文献３参照）。
【０００８】
また、振子式鉄道車両以外の先行技術として「車体が左右の空気ばねを介して台車に支持され、曲線部通過時に、旋回方向外側および内側の空気ばねの高さ寸法を増減して車体の左右傾斜角を制御して、車体における遠心力および向心力が相互に相殺されるようにした」鉄道車両の車体傾斜角制御装置が提案されている（例えば、特許文献４参照）。この制御装置には、曲線部通過時に空気ばねの上面部と下面部との口径の相違に因る台車に対する車体の左右方向変位力に対抗し、車体を左右方向中心位置にほぼ保持する力を発生する保持力発生手段が設けられている。
【特許文献１】特公昭６０−５２０１８号公報（第２頁〜第４頁および図３〜図５）
【特許文献２】特開２００２−６７９４４号公報（第３頁・第４頁および図１）
【特許文献３】特開２００５−１９３７７３号公報（第３頁〜第５頁および図１）
【特許文献４】特開平１１−１９８８０６号公報（第２頁・第３頁および図１）
【発明の開示】
【発明が解決しようとする課題】
【０００９】
しかしながら、上記した従来の振子式鉄道車両や先行技術として記載の車体傾斜制御装置には、次のような点で課題が残されている。
【００１０】
１）自然振子式鉄道車両：
a)車体の慣性モーメントの影響により振子の振れ遅れが生じ、その際に乗客が受ける遠心力が増大するため、乗り心地が充分には向上しない。
【００１１】
b)振子車両の構造上、車体および振子梁が左右方向に揺動し易く、軌道の狂いやポイント通過時やカント量(角度)の不足した曲線部の通過時などに発生するローリング振れが残る傾向がある。これを解決する対策として、台車と振子梁との間にダンパを介設する方法でこのローリング振れを押える方法があるが、ダンパを取付けた場合はa)に記載の振子の振れ遅れを助長する。
【００１２】
２）特許文献１のアクチュエータ(空気シリンダ)付き振子式鉄道車両：
一般的には「制御付き振子」といわれているタイプであるが、この場合は、空気ばねとは別に空気シリンダが必要になるうえ、空気シリンダの作動を曲線軌道の程度に応じて、空気シリンダの作動量を制御する必要が有る。
【００１３】
３）特許文献２の制御装置：
a)振子式台車と車体との間に油圧や空気圧等のシリンダからなるアクチュエータを介設し、曲線区間の走行時に車体を強制的に特定方向（内軌側または外軌側）に傾斜させることにより車体に作用する遠心力を最小限に抑えることができるが、そのための専用機器を別途追加して設ける必要があり、システムが煩雑で大型化する。
【００１４】
b)曲線走行時に半径方向外方に作用する遠心力と、車体が内軌側に傾斜することで作用する向心力との釣り合いにより本曲線区間で最適な傾斜角度が決定する自然振子機構の場合とは異なり、アクチュエータで車体を傾斜させる場合に安全でかつ乗り心地を満足できるものにするには、正確にかつリアルタイムで車体の傾斜角度を導出しアクチュエータを的確に制御する必要がある。
【００１５】
４）特許文献３の自然振子機構と空気ばね式の強制車体傾斜機構を持つ複合式車体傾斜機構を持つ鉄道車両：
台車とこの上方に配置された車体とを有する鉄道車両において、曲線軌道走行時に車体の重心に作用する遠心力を利用して、所定の振子回転中心を中心とした車体の左右における自然振子運動を実現させる自然振子機構（ローラおよび振子梁）と、車体を左右に強制的に傾斜させる空気ばねを用いた強制傾斜手段とを備え、自然振子機構および強制傾斜手段による複合的な車体傾斜機能により、曲線軌道走行時に車体に発生する左右方向の加速度を打ち消して曲線走行速度を増大させる。また車体と振子梁間のエアシリンダ装置は、制御装置により駆動制御されることにより、自然振子機構を構成する振子梁の左右方向の移動範囲を制限するものである。振子梁の自然振子運動により車体が左側又は右側に傾斜するが、制御装置がこのエアシリンダ装置を駆動することにより振子梁の左右方向の移動範囲が制限される。自然振子機構による車体の傾斜角が約８°に達したことが検出されると、制御装置は、その検出信号を受けてエアシリンダ装置を駆動して自然振子運動を停止させる。その後、制御装置は、電磁弁を制御して、空気ばねに圧縮空気を供給することにより車体を強制的に傾斜させる。つまり、車体は自然振子機構によって車体が８°傾斜したのちに、空気ばねによってさらに２〜３°傾斜させられる。したがって、基本的には自然振子機構は遠心力と重力の釣り合いで傾斜を行った後に、空気ばね式車体傾斜を作動させるため、両車体傾斜機構が関連をもって同時に作動するものではない。
【００１６】
５）特許文献４の車体傾斜角制御装置：
空気ばねの上昇で車体を傾斜し、この傾斜角を大きくするには、空気ばねの高さをかなり高くする必要がある。しかし、空気ばねの高さを余り高くしすぎると、車体の重心位置が上方へ移動するので、車両が転覆するおそれが生じるとともに、車体傾斜の度合いを多くすると車両限界との関係から、車体上部がその度合いに応じて、上方に行くほど車体幅を狭くせざるを得ないため客室空間が狭くなるため、車体傾斜の角度の制限のある方式である。
【００１７】
この発明は上述の点に鑑みなされたもので、車両が曲線軌道（正確には入口緩和曲線）に進入する直前に空気ばね式強制車体傾斜装置によって車体を内軌側へ傾斜させることにより振子機構が働く前に、車体傾斜を開始し、緩和曲線に入る前より自然振子機構により振子中心を中心に車体と振子梁を遠心力と重力による振子の作用力により自然に最適な傾斜角に傾斜させることができ、出口緩和曲線進入直前に空気ばね式強制車体傾斜装置によって車体を外軌側へ傾斜させることにより振子機構が働く前に、車体を中立位置に戻し始めることで、振子梁の振れを支援して振り遅れの発生を補正するとともに、複雑な制御が不要で、既存の空気ばね付き振子式鉄道車両からも簡単に改良できる複合的な車体傾斜機構を有する鉄道車両を提供しようとする。
【課題を解決するための手段】
【００１８】
上記の目的を達成するために本発明にかかる鉄道車両は、a）台車と、この台車の上方に配置された車体と、両者の間に振子梁が設けられ、曲線軌道走行時に前記車体の重心に作用する遠心力を利用して、振子回転中心を中心とした前記車体の自然振子運動を実現する自然振子機構と、前記振子梁と車体の間に左右に配置された空気ばねによる空気ばね式強制車体傾斜機構とを備え、前記自然振子機構および前記空気ばね式強制車体傾斜機構による複合的な車体傾斜機能を有する鉄道車両において、ｂ）前記空気ばね式強制車体傾斜機構は、入口緩和曲線進入の直前に前記車体を内軌側へ傾斜させた後すぐ（通常、数秒以内）に元の姿勢に戻す一方、出口緩和曲線の直前の一定時間前に前記車体を外軌側へ傾斜させた後すぐ（通常、数秒以内）に元の姿勢に戻すことにより、前記自然振子機構の振れを支援する構成からなることを特徴とする。
【００１９】
上記の構成を有する本発明にかかる鉄道車両によれば、入口緩和曲線進入の直前に車体が外軌側空気ばねの上昇（あるいは外軌側空気ばねの上昇と内軌側空気ばねの下降）により内軌側へ傾斜するので車体の重心が振子中心から見て内軌側に移動するため、振子機構の振子作用により内軌側に車体傾斜が開始されたのちに、入口緩和曲線に車両が進入するため振子中心を中心として振子梁が重力と遠心力の作用力により自然に最適な振子角に傾動する一方、出口緩和曲線進入直前には車体が内軌側空気ばねの上昇等で外軌側へ傾斜するので車体の重心が振子中心から見て外軌側に移動するため、振子機構の振子作用により外軌側に車体傾斜が開始され、その後に出口緩和曲線に進入するため振子梁が振子中心を中心として重力と遠心力の作用力により自然に最適な振子角に傾動する。なお、空気ばね制御装置による傾斜角度の制御は一切不要である。また、入口緩和曲線進入直前（例えば進入する２秒前に）で車体を内軌側へ傾斜させたのちに元の姿勢に戻せばよい。そのため、本システムを制御するための地点検知装置から車両がＮ秒後に緩和曲線（出口・入口とも）に進入する情報と曲がりの方向に関する情報だけを出力可能な制御装置と、空気ばね式強制車体傾斜機構と接続させた構成であればよい。つまり、空気ばねに対して車体傾斜角を逐時計算出力を行うものでなく、トリガーとしての情報を出力するだけでよい。なお、地点検知装置は、予め記録された路線データ（曲線の位置データとその曲線の曲率、カント等）とＡＴＳ等の地上子からの地上信号やＧＰＳ等の位置情報と車両の走行距離（例えば、地上子からの信号を受信した後の走行距離）の比較から車両が走行している位置を検知する装置である。
【００２０】
請求項２に記載のように、前記台車と前記振子梁との間にパッシブダンパを介設することが望ましい。請求項１記載のように、曲線軌道の入口緩和曲線部や出口緩和曲線部での走行時には、自然振子式鉄道車両の振り遅れを補正すべく、空気ばね式強制車体傾斜機構により車体を振子梁上で一方へ傾斜させる場合、質量の大きい車体が傾斜を行う力を受けて、振子梁が強制車体傾斜の反作用によって反対方向への回転を行うことを抑制するために、パッシブダンパが有効に機能する。また曲線軌道走行時以外、つまり直線軌道および極めて曲率の緩い曲線軌道の走行時にも、パッシブダンパにより台車と振子梁間の相対的な揺れ（自然振子式鉄道車両に特有のローリング揺れ）が抑制（軽減）される。
【００２１】
請求項３に記載のように、前記空気ばね式強制車体傾斜機構は前記空気ばねの空気量を制御する空気ばね制御装置を備え、この空気ばね制御装置は車両の地点検知装置と接続され、同地点検知装置は地上信号情報またはＧＰＳ情報等の位置情報と装置の持つ路線データ（曲線の位置データとその曲線の曲率、カント等）と車両の走行距離（例えば、地上子からの信号を受信後の走行距離）を比較することで、少なくとも入口緩和曲線と出口緩和曲線に進入するための情報を、進入の一定時間前に曲線軌道の曲がり方向とともに前記空気ばね制御装置へ出力するものであることが好ましい。
【００２２】
このように構成すれば、直線軌道走行から入口緩和曲線軌道に進入する直前に緩和曲線に関する位置情報とその曲線の曲がり方向とを地点検知装置から空気ばね制御装置へ出力し、空気ばね制御装置を介して外軌側空気ばねに加圧空気が供給されて上昇し（あるいは同時に内軌側空気ばね内の空気が排出されて下降し）、車体を内軌側傾斜させるので、振子遅れを空気ばね式強制車体傾斜機構で補正し、本曲線軌道走行時には出口緩和曲線軌道に進入する直前に緩和曲線に関する情報とその曲線の曲がり方向とを地点検知装置から空気ばね制御装置へ出力し、空気ばね制御装置は内軌側空気ばねに加圧空気が供給されて上昇し（あるいは同時に外軌側空気ばね内の空気が排出されて下降し）、車体を外軌側傾斜させるので、振子遅れを空気ばね式強制車体傾斜機構で補正できる。
【００２３】
請求項４に記載のように、前記空気ばね式強制車体傾斜機構は、前記地点検知装置により検知される入口緩和曲線進入直前で、前記空気ばね制御装置により外軌側空気ばねに空気を供給し外軌側空気ばねを上昇させて前記車体を前記振子梁に対し内軌側へ傾斜させ、入口緩和曲線走行時に前記空気ばね制御装置により外軌側空気ばね内の空気を排出し外軌側空気ばねの下降を行い、前記外軌側空気ばねの高さを元の中立位置に戻し、出口緩和曲線進入直前で、前記空気ばね制御装置により内軌側空気ばねに空気を供給し内軌側空気ばねを上昇させて前記車体を前記振子梁に対し外軌側へ傾斜させ、出口緩和曲線走行時に前記空気ばね制御装置により内軌側空気ばね内の空気を排出し、前記内軌側空気ばねの高さを元の中立位置に戻すことができる。
【００２４】
このように構成すれば、車両は直線軌道走行から入口緩和曲線軌道に進入直前（例えば進入する２秒前）に地点検知装置が緩和曲線とその曲線の曲がり方向を空気ばね制御装置へ出力することにより、空気ばね制御装置は外軌側空気ばねに加圧空気が供給されて上昇することにより図６（ｂ）に示すように、車体を内軌側傾斜させるので、車体重心Ｇが車体振子中心より見かけ上内軌側へ移動することにより振子中心を中心として内軌側に車体傾斜が始まることにより車体傾斜の振り遅れを補正し、入口緩和曲線走行時において図６（ｃ）に示すように重力と遠心力の作用力により振子回転中心ｏを中心として回転し始めた後は、空気ばね制御装置は外軌側空気ばねを排気し空気ばね式強制車体傾斜機構による車体の傾斜角を０°に戻すことにより振子梁と車体を中立位置に戻し、曲率の大きい本曲線軌道の走行時において重力と遠心力の作用力（図１（ｂ）・図６（ｄ）参照）により自然に振子角が増大し、最適な振子角に揺動する。
【００２５】
本曲線走行時の自然な振子角走行時を示す図８(a)の状態において、車両は出口緩和曲線軌道に進入する直前（例えば２秒前）に緩和曲線に関する位置情報とその曲線の曲がり方向とを地点検知装置から空気ばね制御装置へ出力し、図８（ｂ）に示されるように空気ばね制御装置を介して内軌側空気ばねに加圧空気が供給されて内側空気ばねが上昇し、車体を外軌側傾斜させるので、車体重心Ｇが車体の振子中心ｏより見かけ上外軌側へ移動することにより振子中心ｏを中心として外軌側への車体傾斜が始まることによって、振子梁の振り遅れを空気ばね式強制車体傾斜機構で補正する。その後すぐに外軌側空気ばねの下降が開始され（図８（ｃ））、空気ばねを排気し空気ばね式強制車体傾斜機構による車体の傾斜角を０°に戻すことで振子梁と車体が中立位置に戻り、出口緩和曲線走行時には重力と遠心力の作用力により振子角が的確に減少し、直線区間走行時には内軌側空気ばねの高さが元の位置に戻って振子梁も自然に左右方向の中立（中間）位置に揺動し、ほぼ水平な姿勢になる（図８（ｄ））。
【００２６】
請求項５に記載のように、前記空気ばね式強制車体傾斜機構は、前記地点検知装置により検知される入口緩和曲線進入直前で、前記空気ばね制御装置により外軌側空気ばねに空気を供給し外軌側空気ばねを上昇させるとともに内軌側の空気ばね内の空気を排出して前記車体を前記振子梁に対し内軌側へ傾斜させ、入口緩和曲線走行時に前記空気ばね制御装置により外軌側空気ばね内の空気を排出し外軌側空気ばねの下降を行うとともに内軌側の空気ばねに給気して、前記各空気ばねの高さを元の中立位置に戻し、出口緩和曲線進入直前で、前記空気ばね制御装置により内軌側空気ばねに空気を供給し内軌側空気ばねを上昇させるとともに外軌側空気ばね内の空気を排出して前記車体を前記振子梁に対し外軌側へ傾斜させ、出口緩和曲線走行時に前記空気ばね制御装置により内軌側空気ばね内の空気を排出するとともに外軌側空気ばね内の空気を給気し、前記各空気ばねの高さを元の中立位置に戻すことができる。
【００２７】
このように構成することにより、請求項４記載の鉄道車両と同様に車体の内軌側または外軌側への傾斜に伴って、自然振子機構による振子梁の振り遅れが補正されるが、本請求項の鉄道車両では、振子梁上の左右の空気ばね、いいかえれば外軌側と内軌側の両方の空気ばねが協働して車体の傾動を行うので、よりスムーズに自然振子機構による振子梁の振り遅れの補正が行なわれる。
【発明の効果】
【００２８】
本発明にかかる複合的な車体傾斜機能を持つ鉄道車両は、上記先行技術と比べて下記の表１に示すような優れた効果がある。
【００２９】
【表１】
2008143335.tif 000003
【発明を実施するための最良の形態】
【００３０】
以下、本発明にかかる鉄道車両について実施の形態を図面に基づいて説明する。
【００３１】
図１（ａ）は本発明にかかる複合的な車体傾斜機能を持つ鉄道車両の一実施形態を概略的に示す正面視断面図で、曲線走行状態を表し、図１（ｂ）は図１（ａ）の車両において遠心力と重力が車体に作用する関係を示す説明図である。
【００３２】
本実施形態の複合的な車体傾斜機能を持つ鉄道車両１は、図１（ａ）に示すように、振子台車２上に振子梁３を両側のコロ３ｃを介して左右(車幅)方向に傾動（揺動）可能に配備している。振子台車２の下方に輪軸４を備え、この輪軸４は車軸４ａとこの両側に一体回転可能に取り付けられ、レールＲ上を走行する左右一対の車輪４ｂとからなっている。振子台車２上に配備された振子梁３は、下部が車体６の振子中心ｏを円の中心とする半円弧面３ａに形成され、コロ３ｃを介して遠心力や重力の作用により振子中心ｏを中心として左右（車幅）方向に揺動する。下部半円弧面３ａの周方向のほぼ中間位置に略台形状の凹所３ｂが設けられ、この凹所３ｂ内の一端と振子台車２上面との間にパッシブダンパ５が介設されている。パッシブダンパ５は、振子梁３と振子台車２間の速度の速い動きを抑制するための抵抗力として機能し、振子梁３の左右方（車幅）方向の速度の速い振れ（振子運動）を抑制する。本例の場合、緩和曲線進入直前に振子梁３上の車体６を空気ばね式強制車体傾斜機構８により傾斜させることにより質量の小さい振子梁３が振子台車２に対して空気ばね式強制車体傾斜の反作用で逆回転するのを抑制するためにパッシブダンパ５が有効に働き、空気ばね式強制車体傾斜機構８の機能を発揮させることにより振子梁３の振り遅れを軽減することができる。
【００３３】
そして、緩和曲線走行時には、車体６の空気ばね式強制車体傾斜機構８による車体傾斜姿勢から中立姿勢に戻り、相対的に振子梁３に作用する抑制力が増大し、振子梁３の振れを抑制する。また、この抑制力は、本曲線軌道走行時に振子梁３の不要な乱動（ローリング振れ）を抑制することになる。
【００３４】
なお、他の実施例として、パッシブダンパ５に制御付きの可変ダンパを使用してもよい。本例の場合、図示は省略するが、例えば可変オイルダンパを使用した場合、オイルダンパ本体を構成するシリンダ内のピストンを挟んで左右の油室の連通管の中央には電磁制御の流量制御弁を設け、パッシブダンパ５内の油の流れを微妙に調節してパッシブダンパ５の減衰力を自在に変更可能にする。そして、本例のパッシブダンパ５で、後述する地点検知装置１０からの情報に基づき、曲線軌道以外軌道（直線軌道や緩やかな曲率の曲線軌道）を走行するときには流量制御弁を細く絞り、振子台車２上の振子梁３の傾動を抑制する。自然振子機構の作動速度を高めるため、空気ばね式強制車体傾斜機構８が働いていない状態での曲線軌道を走行するときには、流量制御弁を開放され、本来の振子動作のための振子梁３の自由な傾動(振れ)を許容する。
【００３５】
振子梁３の上方に車体６が配置され、この車体６は振子梁３の上面の両側の空気ばね７（７R・７L）により支持されている。これら左右一対の空気ばね７R・７Lは従来より台車の枕ばねとして使用されている装置であるが、本実施形態では各空気ばね７R・７Lに対し加圧空気源(図示せず)から加圧空気を供給したり、各空気ばね７R・７Lから加圧空気を排出したり、そのタイミングを決定したりする空気ばね制御装置９(図２参照)により空気ばね７の圧縮空気量を増減でき、この空気ばね制御装置９を含めて空気ばね式強制車体傾斜機構８が構成されている。
【００３６】
鉄道車両１に搭載されている地点検知装置１０は、地上信号情報またはＧＰＳ情報等の位置情報等と、地点検知装置の持つ路線データ（曲線の位置とその曲線の曲率やカント等）および車両の走行距離（位置情報受信後の走行距離）を比較することで、少なくとも空気ばね式強制車体傾斜機構８の作動のトリガーとなる。例えば「直線走行からｎ秒後に左曲線の入口緩和曲線に進入する」または「左曲線走行からｎ秒後に出口緩和曲線に進入する」との入口緩和曲線と出口緩和曲線までの走行時間と曲線軌道の曲がり方向との情報を空気ばね制御装置９に指令するものである。ただし、ｎ秒後とは、速度や曲線形状などによって変更する。
【００３７】
各空気ばね７R・7Lは、例えば図示されていない電磁弁を介して加圧空気源に接続されており、上記空気ばね制御装置９により電磁弁が開閉駆動されることにより、空気ばね７R・7Lへの加圧空気の供給と、空気ばね７R・7Lからの加圧空気の排出とが適宜行われる。この結果、本例では図１に示すように外軌側の空気ばね７Lが上昇し、高さが高くなることによって車体６を内軌側へ強制的に傾斜する。なお、制御はやや複雑になるが、外軌側空気ばね７Lへ加圧空気が供給され、同時に内軌側空気ばね７R内の加圧空気が排出されて車体６を内軌側へ強制的に傾斜する制御も可能である。
【００３８】
すなわち、本例の鉄道車両１では、後述するように曲線軌道（入口側緩和曲線）に進入する直前(例えば２秒前)に、曲線軌道の内軌側へ車体６が傾斜する。これ等の操作により、空気ばね式強制車体傾斜機構８により車体６が比較的速い速度で回転し傾斜を始める作動時に、振子台車２上にコロ３ｃによって支持されている振子梁３には車体６の回転方向（傾斜方向）と逆方向へ回転力が発生するが、速い速度の変位に対して大きな抑制力のあるパッシブダンパ５により振子梁３の逆回転力の抑制が行なわれる。
【００３９】
入口緩和曲線進入後に、空気ばね式強制車体傾斜機構８による車体傾斜により車体６の重心Ｇが振子中心ｏより内軌側に移動する。パッシブダンパ５を備えているため振子梁３の揺動する速度は比較的遅い速度であるが、振子作用により内軌側への傾斜が始まり、車体６と振子梁３は内軌側へ傾斜する。その後一定時間後(例えば５秒後)に空気ばね７Ｌを中立位置にもどし空気ばね式強制車体傾斜機構８の作動を終了するが、曲線軌道走行時には何ら制御を行うことなく、振子梁３が重力と遠心力の作用力（図１（ｂ）参照）により自然に最適な振子角に傾動する。
【００４０】
また、反対に出口緩和曲線に進入する直前（例えば２秒前）には、内軌側の空気ばね７Rが上昇し、高さが高くなることによって車体６を外軌側へ強制的に傾斜させる。車体傾斜により車体６の重心Ｇが振子中心ｏより外軌側に移動する。パッシブダンパ５を備えているため振子の速度は比較的遅い速度であるが、振子作用により外軌側への車体６の傾斜が始まり、車体６と振子梁３は外軌側へ傾斜する。その後一定時間後（例えば５秒後）に空気ばね７Ｒを中立位置に戻し空気ばね式強制車体傾斜機構８の作動を終了するが、出口緩和曲線軌道走行時には何ら制御を行うことなく、振子梁３が重力と遠心力の作用力（図１（ｂ）参照）により自然に中立位置へ傾動する。
【００４１】
なお、出口緩和曲線部における空気ばね式強制車体傾斜機構８によるが逆車体傾斜に対しても、自然振子の空気ばね式強制傾斜による車体傾斜の動きに対する反作用による逆回転を抑制する場合においても、パッシブダンパ５は有効に逆回転を抑制する。また本例の場合、パッシブダンパ５に対する制御は一切必要としない。
【００４２】
図２（ａ）は空気ばね制御装置９の論理回路の一例を示す説明図、図２（ｂ）は図２（ａ）の制御装置９の論理回路に関する内容を説明する線図である。
本実施形態の空気ばね制御装置９は、図２に示すように論理回路で構成されている。
【００４３】
鉄道車両１に設置された地点検知装置１０はＡＴＳ地上子等からの地上信号情報またはＧＰＳ情報等の位置情報と同装置の持つ路線データ（曲線の位置データとその曲線の曲率、カント等）と車両走行距離を比較することにより前方の入口緩和曲線軌道まで走行するのに必要な鉄道車両１の走行時間の検知を行う。
【００４４】
その上で、地点検知装置１０から空気ばね制御装置９へ、鉄道車両１の前方に曲率が設定値以上の曲線軌道がないか、あるいは直線軌道が連続して存在する場合はフラグ０が出力されるため、空気ばね式強制車体傾斜機構８が稼動しない状態である。
【００４５】
鉄道車両１が直線走行時には、前方に曲率が設定値以上の曲線軌道がある場合は、入口緩和曲線に入る一定時間前に、地点検知装置１０から空気ばね制御装置９へ、前方における緩和曲線軌道の有無が０以外の値である±１のフラグ信号で入力され、また緩和曲線の曲線方向が±で区別され（例えば、右方向に曲がった場合はフラグ＋１、左方向に曲がった場合は−1）出力され、空気ばね式車体傾斜機構８が稼動される。
【００４６】
空気ばね式強制車体傾斜機構８が稼動され、例えば、傾斜角度が一定値（設定値）以上となると、空気ばね車体制御装置９による車体６の傾斜角が０°となるように、空気ばね式強制車体傾斜機構８が稼動される。
【００４７】
同様に鉄道車両１が本曲線走行時にも、地点検知装置１０は、路線データ（曲線の位置データとその曲線の曲率、カント等）と実際の走行距離を比較することで、車両１が連続した本曲線走行時においては、空気ばね制御装置９へフラグ０が出力されるため、空気ばね式強制車体傾斜機構８が稼動しない状態である。
【００４８】
本曲線軌道から出口緩和曲線へ移行する時は、出口緩和曲線へ進入する一定時間前に、地点検知装置１０から空気ばね制御装置９へ、前方における緩和曲線軌道の有無が０以外の値である±１のフラグ信号例えば、右方向に曲がった場合はフラグ−１、左方向に曲がった場合は＋1）で入力され、また緩和曲線の曲線方向が±で区別され、出力され、空気ばね式強制車体傾斜機構８が稼動される。なお、本曲線走行時から出口緩和曲線に進入する場合の±１のフラグ信号は、直線走行時から入口緩和曲線に入る場合の±が反対となっている点が重要である。
【００４９】
空気ばね式強制車体傾斜機構８が稼動され、例えば、傾斜角度が一定値（設定値）以上となると、空気ばね車体制御装置９による車体６の傾斜角が０°となるように、空気ばね式強制車体傾斜機構８が稼動される。
【００５０】
制御装置９は、図２（ａ）に示すように、(2)保持ロジック９ａ、(3)出力判定ロジック９ｂ、(4)ＰＩＤなどの制御演算器(パラメータ乗算・微分)９ｃを備えている。
【００５１】
保持ロジック９ａでは、緩和曲線進入直前の実傾斜角（実際の傾斜角）を保持する指令を発するが、地点検知装置１０からフラグ０が入力されると、実傾斜角の保持値がリセットされる。
【００５２】
つまり、地点検知装置１０からあらかじめ記憶された路線データ（曲線の位置データとその曲線の曲率、カント等）と車両走行距離に基づき入口緩和曲線および出口緩和曲線の進入の一定時間前に、曲線の方向を表すフラグ（±１）を出力する。このフラグ（−１，０または１）が保持ロジック９ａに入力されるが、図２(ｂ)の中段に示すように矢印の出力開始点では保持ロジック９ａには０°が記憶される。出力判定ロジック９ｂでは、図２(ｂ)の下段に示すように出力開始点において空気ばね式強制車体傾斜機構の「実傾斜角−保持ロジック９ａで保持されている傾斜角」＜設定値であるので、１が出力される。続いて地点検知装置１０からのフラグ信号値（−１・０・１）との乗算処理９ｆで車体６の傾斜方向が決定される。そして、制御演算器９ｃで車体傾斜角が演算され、車体傾斜角指令（空気ばねの高さ指令）が空気ばね式強制車体傾斜機構８へ出力される。一方、図２(ｂ)の下段に示すように出力終了点では「実傾斜角−保持ロジック９ａで保持されている傾斜角」＞設定値であるので、０が出力され、車体６の傾斜角が元の状態（０°）に戻される。なお、９ｄは加算処理、９ｅは絶対値処理である。
【００５３】
図２に示す空気ばね制御装置９のロジックでは、鉄道車両１が緩和曲線に侵入する直前で車両１側の地点検知装置１０から出力されるフラグ（−１または＋１）により曲線の内軌側へ車体６を傾斜させる指令が空気ばね制御装置９へ発せられ、空気ばね式強制車体傾斜機構８により車体６が傾斜するが、車体６は傾斜すると、一定時間後に元の姿勢に戻される。このため、非常に簡単なロジックによって制御し得る。
【００５４】
以上のようにして本実施形態の振子式鉄道車両１が構成されるが、次に曲線軌道走行時の車体傾斜機構および自然振子機構の動作について図面に基づいて説明する。
【００５５】
図３は曲線軌道入口側の軌道を示す平面図(上段)と同軌道に対応して曲線検知信号を時間の経過(横軸)との関係で表した説明図(中段)と前記軌道に対応して外軌側空気ばねの圧縮空気量を時間の経過(横軸)との関係で表した説明図(下段)、図４は曲線軌道出口側の軌道を示す平面図(上段)と同軌道に対応して曲線検知信号を時間の経過(横軸)との関係で表した説明図(中段)と前記軌道に対応して外軌側空気ばねの圧縮空気量を時間の経過(横軸)との関係で表した説明図(下段)である。図５は曲線軌道入口側を示す軌道と車両の位置とを示す平面図、図６（ａ）〜（ｄ）は図５の車両の状態１〜４に対応する車両を概略的に示す後方視（後方より見た）断面図である。図７は曲線軌道出口側を示す軌道と車両の位置とを示す平面図、図８（ａ）〜（ｄ）は図７の車両の状態１〜４に対応する車両を概略的に示す後方視断面図である。
【００５６】
本実施形態の空気ばね式強制車体傾斜機構８と自然振子機構を持つ複合車体傾斜式鉄道車両１では、図３や図５（の状態１）に示すように直線軌道を走行中の車両１は振子梁３および車体６が傾斜しておらず、重心が振子台車２の中心軸線ｓ上に位置する（図６（ａ））。そして、図５（の状態２）に示すように、入口緩和曲線進入直前に一定時間前（例えば２秒前に）に、車両１側の地点検知装置１０から車体６の傾斜角と傾斜方向とが制御装置９へ出力される。なお、傾斜角速度は車体仕様により決定される。ここで、空気ばね式強制車体傾斜機構８の空気ばね制御装置９により外軌側空気ばね７Lへ圧縮空気が供給され、空気ばね７Lの高さが上昇し、振子梁３上の車体６は、曲線軌道の内軌側へ傾斜する（図５の状態２・図６（ｂ））。車体６が傾動する際の反力による無用な車体１と振子梁３の車体傾斜の反対方向への振子回転は、パッシブダンパ５により抑止される。そして、入口緩和曲線進入前に車体６が内軌側へ傾斜することにより、図６（ｂ）に示すように車体重心Ｇが振子台車２の振子中心ｏを通る中心軸線Ｓ−Ｓに対し内軌側へ移動を開始し、緩和曲線に進入したときには車体重心Ｇが振子中心ｏから見て内軌側へ移動しているため、振子梁３の内軌側への振れは、遠心力と重力の作用により車体１と振子梁３の振子傾斜が容易になる。これにより、従来の一般的な振子式鉄道車両に特有の振り遅れが解消される。
【００５７】
そして、空気ばね式強制車体傾斜機構８によって強制的に内軌側へ傾斜した車体６は、一定時間後（例えば車体傾斜の指令が出て５秒後に）に、図５の状態３や図６（ｃ）に示すように再び空気ばね式強制車体傾斜機構８の空気ばね制御装置９からの指令によって外軌側の空気ばね７Lから圧縮空気が排出され、元の高さに戻されることにより、車体重心Ｇは振子台車２の中心軸線Ｓ−Ｓに対し外軌側へ移動し、車体６は振子梁３に対し平行な中立位置である元の非傾斜姿勢に戻される。この結果、本曲線軌道の走行時には、図５の状態４（図７の状態１）や図６（ｄ）（図８（ａ））に示すように振子中心ｏを回転中心として、車体重心Ｇにかかる重力と遠心力とが釣り合う最適な傾斜角度に車体１と振子梁３が傾斜する。
【００５８】
こうして本曲線軌道を走行し、出口緩和曲線に進入する直前の一定時間前（例えば２秒前に）に、車両１側の地点検知装置１０からの線路データに基づく指令信号で、図７の状態２や図８（ｂ）に示すように入口緩和曲線進入前とは逆の方向、すなわち外軌側へ車体６は傾斜する。これにより、車体重心Ｇが振子中心ｏから見て外軌側へ移動を開始し、緩和曲線に進入したときには車体重心Ｇが振子中心ｏから見て内軌側へ移動しているため、振子梁３の外軌側への振れは、遠心力と重力の作用により車体１と振子梁３の振子傾斜が容易になり、これにより、振子式鉄道車両に特有の振り遅れが解消される。一定時間後（例えば車体傾斜の指令が出て５秒後）に、車体１と振子梁は、出口緩和曲線走行時には、図７の状態３や図８（ｃ）に示すように再び空気ばね式強制車体傾斜機構８の空気ばね制御装置９によって内軌側の空気ばね７から加圧空気が排出され、元の高さまで下降することにより自然振子状態に戻り、安定した走行が遂行される。
【００５９】
なお、直線軌道走行時には、パッシブダンパ５による振子梁３の振れに対する抑制力（抵抗力）にて、振子梁３の不要なローリング振れは抑制される。
【００６０】
上記のように、本実施形態の振子式鉄道車両１によれば、入口緩和曲線進入直前に車体６が空気ばね式強制車体傾斜機構８により内軌側へ傾斜し、入口緩和曲線走行時には車体６が空気ばね式強制車体傾斜機構８にて中立位置に戻り、出口緩和曲線手前で車体６が空気ばね式強制車体傾斜機構８により外軌側へ傾斜し、出口曲線走行時に空気ばね式強制車体傾斜機構８にて車体６が中立位置に戻ることにより、自然振子動作の振り遅れを空気ばね式強制車体傾斜機構８により補正することで振り遅れが解消する。また上記したとおり、本実施形態の複合車体傾斜式鉄道車両１では、車体６は入口緩和曲線手前で一度内軌側へ強制車体傾斜し、緩和曲線走行時には強制車体傾斜が中立位置に戻されるなど、車体６と振子梁３が曲線軌道通過時に生じる遠心力と重力の作用で振り子中心oを回転中心として自然に内軌側へ傾斜したり元の中立状態に戻ったりする前に、車体６を自然振子動作の振り遅れを空気ばね式強制車体傾斜機構８により補正することで振り遅れが解消するため、複雑かつ緻密な制御は一切不要である。また、上記した空気ばね制御装置９（図２参照）は、上記した車体６の傾斜制御をロジックで表した一例に過ぎず、これに限定されるものでないことは言うまでもない。
【図面の簡単な説明】
【００６１】
【図１】図１（ａ）は本発明にかかる複合的な振子式鉄道車両の一実施形態を概略的に示す正面視断面図で、曲線走行状態を表し、図１（ｂ）は図１（ａ）の車両において遠心力と重力が車体に作用する関係を示す説明図である。
【図２】図２（ａ）は本発明の振子式鉄道車両１に用いられる制御装置９の論理回路の一例を示す説明図、図２（ｂ）は図２（ａ）の制御装置９の論理回路に関する内容を説明する線図である。
【図３】曲線軌道入口側の軌道を示す平面図(上段)と同軌道に対応して曲線検知信号を時間の経過(横軸)との関係で表した説明図(中段)と前記軌道に対応して外軌側空気ばねの加圧空気量を時間の経過(横軸)との関係で表した説明図(下段)である。
【図４】曲線軌道出口側の軌道を示す平面図(上段)と同軌道に対応して曲線検知信号を時間の経過(横軸)との関係で表した説明図(中段)と前記軌道に対応して外軌側空気ばねの加圧空気量を時間の経過(横軸)との関係で表した説明図(下段)である。
【図５】曲線軌道入口側を示す軌道と車両の位置とを示す平面図である。
【図６】図６（ａ）〜（ｄ）は図５の車両の状態１〜４に対応する車両を概略的に示す後方視断面図である。
【図７】曲線軌道出口側を示す軌道と車両の位置とを示す平面図である。
【図８】図８（ａ）〜（ｄ）は図７の車両の状態１〜４に対応する車両を概略的に示す後方視断面図である。
【符号の説明】
【００６２】
１  複合車体傾斜式鉄道車両
２  振子台車
３  振子梁
３ａ下部半円弧面
３ｂ凹所
３ｃコロ
４  輪軸
４ａ車軸
４ｂ車輪
５  パッシブダンパ
６  車体
７（７R）  空気ばね
７（７L）  空気ばね
８  空気ばね式強制車体傾斜機構
９  空気ばね制御装置
９ａ保持ロジック
９ｂ出力判定ロジック
９ｃ空気ばね制御演算器
１０  地点検知装置
Ｒ  レール
【図１】
2008143335.tif 000004
【図２】
2008143335.tif 000005
【図３】
2008143335.tif 000006
【図４】
2008143335.tif 000007
【図５】
2008143335.tif 000008
【図６】
2008143335.tif 000009
【図７】
2008143335.tif 000010
【図８】
2008143335.tif 000011